(57)【要約】【課題】  汚物を分解消滅させるバイオチップの交換や補充及び分解処理された汚物の排出や、清掃や点検等のメンテナンスが容易であると共に、それ自体独立して構成されることで、既存の仮設トイレユニット等に組み込みが容易な汚物処理ユニットを提供することである。【解決手段】  バイオチップ１４に絡ませることによって、汚物１０を分解して処理する攪拌羽根３２ａ，３２ｂを備えた第１槽１８ａ及び第２槽１８ｂからなる汚物処理槽１３と、この汚物処理槽１３をスライド可能に収納する枠体１２とを備え、前記汚物処理槽１３と枠体１２との間には、前記汚物処理槽１３の引き出しをガイドするアウターレール１６ａ，１６ｂとインナーレール２１ａ，２１ｂからなるスライドガイド部を設けた。【選択図】      図１
2005296096.tif 000002
【特許請求の範囲】
【請求項１】
汚物の分解処理手段を有する汚物処理槽と、この汚物処理槽をスライド可能に収納するベース部とを備えたことを特徴とする汚物処理ユニット。
【請求項２】
前記汚物処理槽とベース部との間には、前記汚物処理槽の引き出しをガイドするスライドガイド部が設けられる請求項１記載の汚物処理ユニット。
【請求項３】
前記汚物処理槽は、少なくとも内周面が湾曲形状をした一対の処理室を並設して備えると共に、前記各処理室の上部が開口している請求項１または２記載の汚物処理ユニット。
【請求項４】
前記各処理室の外表面に断熱部材が被覆されている請求項１乃至３のいずれかに記載の汚物処理ユニット。
【請求項５】
前記断熱部材は、各処理室の外表面に吹き付けて固着させた硬質ウレタンである請求項４記載の汚物処理ユニット。
【請求項６】
前記分解処理手段は、前記各処理室内を長手方向に延びる回転軸と、この回転軸に沿って複数取り付けられる攪拌羽根とを備えており、前記処理室の外側には、前記回転軸を駆動するための駆動制御装置が配置されている請求項１記載の汚物処理ユニット。
【請求項７】
前記分解処理手段は、汚物を分解処理する際、それぞれの回転軸を一旦各処理室の内側方向に回転させた後に、処理室の外側方向に回転制御する請求項１または６記載の汚物処理ユニット。
【請求項８】
前記分解処理手段は、それぞれの攪拌羽根を内側に回転させることによって、前記各処理室に収容されたチップ状の汚物分解処理部材に汚物をなじませた後に、外側に回転させることによって、前記各処理室内を循環させる請求項７記載の汚物処理ユニット。
【請求項９】
前記分解処理手段は、前記汚物分解処理部材になじませた汚物を一方の処理室から他方の処理室に循環させる請求項６乃至８のいずれかに記載の汚物処理ユニット。
【請求項１０】
前記複数の攪拌羽根は、同一回転軸上に隣接する攪拌羽根の取付位置が略１８０度ずれている請求項６記載の汚物処理ユニット。
【請求項１１】
前記一方の処理室に配置された回転軸上の攪拌羽根と、他方の処理室に配置された回転軸上の攪拌羽根とは、各回転軸上の略対応する位置にそれぞれが取付けられ、且つ対応する位置にある攪拌羽根の取付角度が略９０度ずれている請求項６記載の汚物処理ユニット。
【請求項１２】
前記攪拌羽根は、大きさの異なる孔部を複数設けてある請求項６記載の汚物処理ユニット。
【請求項１３】
前記請求項１記載の汚物処理ユニットと、その上方に取り付けられたトイレユニットとからなることを特徴とする仮設トイレ。
【請求項１４】
前記汚物処理ユニットは、前記トイレユニットに設けられた開閉扉側またはその背面側に汚物処理槽が引き出せるように取り付けられている請求項１３記載の仮設トイレ。
【請求項１５】
前記汚物処理ユニットは、前記トイレユニットの前記開閉扉とは直交する方向に引き出し可能に取り付けられている請求項１３記載の仮設トイレ。
【発明の詳細な説明】
【技術分野】
【０００１】
本発明は、トイレユニット等の下部に設置され、排泄された糞尿等の汚物を分解処理するための汚物処理ユニット及びこの汚物処理ユニットを備えた仮設トイレに関するものである。
【背景技術】
【０００２】
従来、工事現場や大勢の人が集まるイベント会場のような場所に設置される仮設トイレや水洗設備のないトイレでは、便器が設置されたトイレユニットに汚物を溜める収納容器が備えられており、汚物が所定量に達した時点で吸引して他の場所に廃棄処理する方法がとられている。このようなトイレにあっては、汚物を溜めておく間中、臭気が発生するといった問題があった。そこで、前記収納容器内に汚物を分解し、消滅させる働きを有する微生物を付着させた木質小片からなる汚物分解処理部材（バイオチップ）を投入して処理する方法が知られている。このようなバイオチップを汚物に絡ませることで、臭気の発生を抑えると共に、汚物を分解させて廃棄処理を容易にすることができる。
【０００３】
このようなバイオチップを用いた汚物処理装置としては、例えば、特許文献１に示されるように、回転式の汚物処理容器を備え、この汚物処理容器内に排泄された汚物とバイオチップとを回転させながら攪拌させる「簡易トイレ用糞尿消滅処理装置」が知られている。また、特許文献２に示されるように、内部に便器を備え、この便器の下方に前記バイオチップを収納した汚物処理槽と、この汚物処理槽内において汚物とバイオチップとを攪拌させる攪拌羽根を備え、さらに、前記攪拌羽根にヒータを設けた「仮設トイレ」が知られている。
【特許文献１】特開２００３−１８０５５８号公報
【特許文献２】特開２００１−２０４６５１号公報
【発明の開示】
【発明が解決しようとする課題】
【０００４】
しかしながら、上記のような汚物処理装置は、汚物処理容器や汚物処理槽が便器あるいはトイレユニットと一体的に設けられているものが多く、分解処理した後に残った堆肥の排出や、汚物処理容器や汚物処理槽内の清掃がしずらいといった問題があった。また、前記汚物処理容器や汚物処理槽内へのバイオチップの交換も容易でなかった。
【０００５】
また、前記汚物処理容器や汚物処理槽が独立した構造となっていないため、トイレ以外の用途、例えば、レストランや家庭から排出される生ごみ等の処理用途に応用あるいは交換するといった使い方ができない。
【０００６】
そこで、本発明の第１の目的は、汚物を分解消滅させるバイオチップの交換や補充及び分解処理された汚物の排出や、清掃や点検等のメンテナンスが容易であると共に、それ自体が独立して構成されることで、既存の仮設トイレ等に組み込みが容易な汚物処理ユニットを提供することである。
【０００７】
また、本発明の第２の目的は、前記汚物処理ユニット内の汚物処理槽の引き出しが容易に行われると共に、設置場所に応じて前記汚物処理槽の引き出し方向の選択可能な仮設トイレを提供することである。
【課題を解決するための手段】
【０００８】
上記課題を解決するために、本発明の汚物処理ユニットは、汚物の分解処理手段を有する汚物処理槽と、この汚物処理槽をスライド可能に収納するベース部とを備えたことを特徴とする。
【０００９】
また、本発明の仮設トイレは、前記請求項１記載の汚物処理ユニットと、その上方に取り付けられたトイレユニットとからなることを特徴とする。
【発明の効果】
【００１０】
本発明の汚物処理ユニットによれば、汚物を分解して処理するための汚物処理槽と、この汚物処理槽をスライド可能に収納するベース部とを備えた構造となっているので、前記汚物処理槽内への汚物分解処理部材の投入及び分解処理された汚物の排出が容易となる。また、前記ベース部を介して既存の仮設トイレユニット等への組み込みが可能となる。
【００１１】
また、前記汚物処理槽の外表面を断熱部材で被覆することで、外気の影響を受けることなく、前記汚物処理槽内の温度を汚物の分解処理に適した状態に長時間維持することができる。
【００１２】
また、前記汚物処理槽は、並設された一対の処理室を有すると共に、複数の攪拌羽根が各処理室内で回転する構造となっているため、汚物分解処理部材に絡んだ汚物が各処理室を循環しながら分解処理させることができる。
【００１３】
また、前記汚物処理ユニットは、既存のトイレユニットに組み付けることで、汚物の分解処理機能を有した仮設トイレを容易に形成することができる。また、前記汚物処理ユニット内の汚物処理槽が前記トイレユニットの正面や背面、あるいは、左右の側面側のいずれかの方向に引き出しが可能であるため、メンテナンスが容易である。
【発明を実施するための最良の形態】
【００１４】
以下、図面を参照しながら本発明の実施形態を詳細に説明する。本実施形態の汚物処理ユニットは、水洗設備を有さない仮設のトイレユニット等に組み込んで使用されるもので、便器を通して排泄される糞尿等の汚物を汚物分解処理部材（バイオチップ）と絡ませることによって分解処理するものである。バイオチップには、例えば杉やヒノキ等の針葉樹からなる木質チップに汚物を分解する微生物を混ぜたものが使用される。一例として杉チップとヒノキチップを体積比で２：３％の割合で混合し、これに微生物を混ぜたものが有効なバイオチップとして使用される。ここで、図１は本発明の汚物処理ユニットの全体形状を示す斜視図、図２は前記汚物処理ユニットの側面図、図３は前記汚物処理ユニットの平面図、図４は攪拌羽根の形状を示す斜視図、図５は汚物処理槽の断面図、図６は駆動制御装置の構成を示す図、図７は汚物処理槽内での攪拌状態を示す作用図、図８は前記汚物処理ユニットを組み込んだ仮設トイレの斜視図、図９は汚物処理槽を横方向に引き出す構成の仮設トイレの正面図である。
【００１５】
図１乃至図３に示されるように、本発明の一実施形態である汚物処理ユニット１１は、ベース部であるフレーム構造の枠体１２と、この枠体１２に引き出し可能に収納される汚物処理槽１３とを備えた構造となっている。使用時には前記汚物処理槽１３内に前述のバイオチップ１４が敷き詰められる。
【００１６】
前記枠体１２は、金属部材によって組立てられた箱型のフレーム構造体からなり、仮設トイレとして用いられるボックス型のトイレユニットをその上に組み付けられるように、略一畳分の平面スペースを有している。この枠体１２は、長手方向の一側面と上面とにそれぞれ開口部１５，２０を有しており、他の面には補強用の梁や昇降用のステップ板２２等が設けられる。また、前記枠体１２の長手方向の内側面には、後述する汚物処理槽１３を収納時には支持すると共に、前記開口部１５から引き出す際にスライドガイドするためのアウターレール１６ａ，１６ｂが左右側に設けられている。また、このアウターレール１６ａ，１６ｂには、図２に示されるように、汚物処理槽１３の引き出し操作を容易にするためにローラ２３が設けられている。なお、前記枠体１２は、図示したようなフレーム構造に限定されることなく、前記開口部１５，２０を除いた面を壁面で閉じた構造とすることもできる。
【００１７】
前記汚物処理槽１３は、前記枠体１２の長手方向に並行して延びる一対の槽（第１槽１８ａ及び第２槽１８ｂ）で形成されている。第１槽１８ａ及び第２槽１８ｂは、それぞれが半円筒形状の底面部を有しており、内部には湾曲状の凹部を有する処理室２４ａ，２４ｂが形成されている。処理室２４ａ，２４ｂの上部は全面が開放され、枠体１２に収納する際には、前記処理室２４ａ，２４ｂ内の温度を一定に保つと同時に臭気を抑えるために、後述する蓋体が被せられる。この汚物処理槽１３は、ステンレスなどの耐腐食性材料で作られるのが望ましい。また、汚物処理槽１３の外表面には、図５に示されるように、前記処理室２４ａ，２４ｂ内の温度を一定に保つために、線状のヒータ３５が配設され、さらにその上を断熱部材２５で被覆される。この断熱部材２５として、例えば汚物処理槽１３の外表面に塗装ガンなどで硬質ウレタンの加熱溶融物を吹き付け、これを固化させることによって、２０〜３０ｍｍ厚程度の硬質ウレタン層を形成した場合には、北海道や東北など寒冷地での使用にも耐え得る。
【００１８】
また、前記汚物処理槽１３の外側の両側面には、長手方向に沿ってインナーレール２１ａ，２１ｂが設けられている。このインナーレール２１ａ，２１ｂを前記枠体１２側に設けられたアウターレール１６ａ，１６ｂに組み入れることでスライドガイド部が構成され、このスライドガイド部によって汚物処理槽１３がスライド可能に支持される。また、汚物処理槽１３の前面２６側には、汚物処理槽１３を枠体１２から大きく引き出したときに汚物処理槽１３の姿勢を保持するためのキャスタ２７付の支持脚２８が左右に一対着脱可能に取り付けられている。前記汚物処理槽１３は、このようなスライドガイド部を有しているため、枠体１２から引き出したときには、前記第１槽１８ａ及び第２槽１８ｂの上面を枠体１２から完全に露出させることが可能となり、汚物を分解処理した後に残る堆肥を取り除く場合や新たにバイオチップ１４を投入する際の作業が容易となる。さらに、前記汚物処理槽１３の前面２６側には、後述する攪拌羽根を設けた回転軸を回転制御するモータおよびカム機構、モータの回転駆動をプログラムするシーケンサ、汚物処理槽１３内の温度を設定及び制御する温度制御部等を備えた駆動制御装置１７が備えられている。
【００１９】
図３に示されるように、前記汚物処理槽１３を構成する第１槽１８ａ及び第２槽１８ｂ内には汚物の分解処理手段が設けられている。この分解処理手段は、各処理室２４ａ，２４ｂ内を長手方向に延びる回転軸１９ａ，１９ｂと、この回転軸１９ａ，１９ｂ上に沿って設けられる複数の攪拌羽根３２ａ，３２ｂと、前記各回転軸１９ａ，１９ｂの一端に設けられる十文字状の回転羽根３６ａ，３６ｂとからなる。前記回転軸１９ａ，１９ｂには、前記駆動制御装置１７内のモータ３７からの回転力がカム機構３０を介して伝達され、カム機構３０によって回転軸１９ａ，１９ｂが互いに逆方向に回転する。なお、前記モータ３７は、運転スイッチ（図示せず）によって駆動が開始される。
【００２０】
前記回転軸１９ａ，１９ｂ上に沿って取り付けられる攪拌羽根３２ａ，３２ｂは、図４（ａ）に示すように、前記回転軸１９ａ，１９ｂに通して固定するためのリング部３３と、このリング部３３に立設する金属製の板状片（羽根部３４）とで構成されている。前記羽根部３４は、図４（ｂ）に示すように、回転軸１９ａ，１９ｂの長手方向に対して略４５度の角度αに設定されている。このような角度αに設定することで、バイオチップ１４や汚物１０を前記回転軸１９ａ，１９ｂの長手方向に沿って一方向に攪拌移動させることができる。また、前記羽根部３４には、大小の複数の孔部３１ａ，３１ｂが開設されている。これらの孔部３１ａ、３１ｂは、バイオチップ１４と汚物１０とを攪拌する際の抵抗力を軽減させて回転をスムーズに行い、バイオチップ１４と汚物１０とが十分に攪拌されるように設けられるものであり、孔部３１ａ，３１ｂの数や大きさ、配列等はバイオチップ１４の材質や大きさ、汚物１０の処理量などに合わせて適宜設計される。このように、大きさの異なる大小の孔部３１ａ，３１ｂを設けることによって、攪拌羽根３２ａ，３２ｂに当たるバイオチップ１４の一部を前記孔部３１ａ，３１ｂから逃がすことができるので、汚物１０の処理量が一時的に多くなった場合でも前記攪拌羽根３２ａ，３２ｂに無理な力が掛かることなく、攪拌をスムーズに行うことができると共に、モータ３７にも過剰な負荷が掛からなくて済む。また、孔部３１ａ，３１ｂを設けることで、攪拌羽根３２ａ，３２ｂの表面に汚物１０が付きにくくなると共に、汚物１０をバイオチップ１４に十分に混合させることができ、清掃もしやすくなる。前記孔部３１ａ，３１ｂの形状は、バイオチップ１４や汚物１０の通りをよくするために、図４（ａ）に示したような円形状あるいは楕円形状が望ましい。なお、前記羽根部３４の取付角度αについては、上記の４５度に限定されないことは勿論である。
【００２１】
この実施形態において、前記攪拌羽根３２ａ，３２ｂは、図１及び図３に示されるように、それぞれの回転軸１９ａ，１９ｂ上において、隣接する攪拌羽根同士が１８０度ずつ交互にずれるように一定間隔ごとに複数配設されている。また、一方の処理室２４ａに配置された回転軸１９ａの攪拌羽根３２ａと、他方の処理室２４ｂに配置された回転軸１９ｂの攪拌羽根３２ｂとは、各回転軸１９ａ，１９ｂ上のほぼ対応する位置にそれぞれが取り付けられており、さらに対応する位置にある攪拌羽根３２ａ，３２ｂ同士の取付角度が、約９０度ずれるように設定されている。このように、同一回転軸上に隣接する攪拌羽根同士や平行して延びる一対の回転軸上の対応する位置にある攪拌羽根同士の取り付け位置を交互にずらせて配設することで、汚物処理槽１３内に敷き詰められたバイオチップ１４をスムーズ且つ一箇所に偏ることなく、均一に攪拌することができる。なお、前記回転軸１９ａ，１９ｂの端部側に対向して設けられる攪拌羽根３８ａ，３８ｂ及び攪拌羽根３９ａ，３９ｂについては、処理室２４ａと処理室２４ｂとの間での流れをスムーズにするために、取付角度を同じにする場合もある。このように、上記の隣接する攪拌羽根同士の角度又は各回転軸１９ａ，１９ｂ上の略対応する位置に取り付けられた攪拌羽根３２ａ，３２ｂの角度が、上記の１８０度又は９０度に限定されないことは勿論である。
【００２２】
次に、前記汚物処理槽１３内において、汚物を分解処理する動作を図５乃至図７に基づいて説明する。第１槽１８ａ及び第２槽１８ｂの各処理室２４ａ，２４ｂ内に適当量のバイオチップ１４を敷き詰めておく。この上に汚物１０が排泄されたのち、運転スイッチを入れると、図６に示されるように、駆動制御装置１７に備えるモータ３７に駆動操作指令が伝達され、カム機構３０を介して一対の回転軸１９ａ，１９ｂが同時に回転する。そして、図７に示されるように、前記攪拌羽根３２ａ，３２ｂの回転によって、汚物１０をバイオチップ１４に絡ませ攪拌しながら各処理室２４ａ，２４ｂ内を矢印方向に順次移動させる。また、前記処理室２４ａの端部においては、回転羽根３６ａと攪拌羽根３８ａ，３８ｂによって汚物１０とバイオチップ１４とを絡ませた状態で処理室２４ｂに移し変え、処理室２４ｂの端部においては、回転羽根３６ｂと攪拌羽根３９ａ，３９ｂによって処理室２４ａに移し変える。このように、前記各処理室２４ａ，２４ｂの間を循環させながら徐々に汚物１０を分解していく。なお、前記駆動制御装置１７は、家庭用の交流電源で動作するが、電源設備のない場所では、ソーラー発電や小型風力発電による電源も使用できる。
【００２３】
前記の汚物分解処理動作においては、各回転軸１９ａ，１９ｂの攪拌羽根３２ａ，３２ｂを内側方向あるいは外側方向に数回回転させることで、バイオチップ１４上に排泄された汚物１０をバイオチップ１４と共に汚物処理槽１３内に満遍なく循環させることができるが、図６に示したような、前記駆動制御装置１７に備えるシーケンサ２９でその回転方向や速度、あるいは、回転数やインターバルを設定することによって、効率のよい分解処理操作が可能となる。例えば、前記汚物処理槽１３内に汚物１０が排泄された直後に、各回転軸１９ａ，１９ｂの攪拌羽根３２ａ，３２ｂを互いに内側方向に一回転させる。この動作によって、汚物処理槽１３内の任意の箇所に排泄された汚物１０をバイオチップ１４の中になじませることができる。次いで、各回転軸１９ａ，１９ｂの攪拌羽根３２ａ，３２ｂを互いに外側方向の回転に切り替え、数回連続して回転させる。この回転によって、汚物１０がさらにバイオチップ１４と攪拌混合され、バイオチップ１４と一緒に汚物処理槽１３の各処理室２４ａ，２４ｂ内を移動する。前記回転数の制御は、前記カム機構３０に備える図示しないカウントセンサによって検出する他、ステッピングモータを使用して直接制御することが可能である。このような一連の操作を繰り返すことで、汚物１０が一箇所に滞留することなく循環するため、分解処理を促進することができる。この一連の操作は、例えば、本実施形態の汚物処理ユニット１１上に設置されるトイレユニット等に設けられる上述の運転スイッチを使用者が任意に操作することによって、任意のタイミングで行うことができる他、タイマの設定によって、所定時間間隔ごとに実行可能である。また、前記汚物処理槽１３には、図示しない温度センサが数箇所設置されており、前記駆動制御装置１７に備える温度調整部４４によって、予め設定された温度を維持するように制御される。設定温度は、汚物の分解処理に最適となる温度を使用条件などによって適宜決めることが望ましい。なお、この実施形態では、前述したように、前記汚物処理槽１３の外表面にヒータ３５及び断熱部材２５を装着しているため、前記設定した最適温度を長時間維持することができる。
【００２４】
図８は、上述した汚物処理ユニット１１を簡易型のトイレユニット４１の下部に組み込んだ仮設トイレ４０の実施形態を示したものである。この仮設トイレ４０を実際に使用する場合は、汚物処理槽１３の上面に蓋体４５を装着した状態で、枠体１２内に収納される。前記蓋体４５は、前記トイレユニット４１から汚物を落とし込むための開口部４６が設けられ、中央部が高くなるような山型に形成されている。このような山型に傾斜して形成するのは、前記汚物処理槽１３が加温された際に、水蒸気を前記蓋体４５の裏面に付着させずに、前記汚物処理槽１３内へ戻すようにするためである。前記トイレユニット４１は、四方を囲む周壁４３の一つに開閉扉４２が設けられたボックスタイプの公知の構造である。周壁４３で囲われた空間内には図示しない洋式あるいは和式の便器が備えられ、また、床面には便器から前記汚物処理槽１３に装着した蓋体４５の開口部４６に通じる孔部（図示せず）が設けられている。上記仮設トイレユニット４１を汚物処理ユニット１１の枠体１２の上部に載置し、トイレユニット４１の床面と枠体１２とをボルトなどで固定することによって仮設トイレ４０が完成する。なお、枠体１２に設けたステップ板２２によって、トイレユニット４１内への出入りを容易にしている。前記汚物処理ユニット１１は、トイレユニット４１の背面側に長手方向に延びる汚物処理槽１３を引き出す構造であるため、複数の仮設トイレを併設させて設置することが可能である。また、前記汚物処理槽１３を引き出してメンテナンス行う場合に、トイレを利用する人から目立たないといった利点がある。
【００２５】
図９は、トイレユニット４１に対する汚物処理槽１３のスライド方向が前記の実施形態とは異なる場合を示したものである。この実施形態の汚物処理ユニット５１は、上記実施形態の汚物処理ユニット１１と同様に、フレーム構造の枠体１２とこの枠体１２の内部に収容可能な汚物処理槽１３とで構成されるが、前記枠体１２の一側面に開口部５２を設け、この開口部５２から前記汚物処理槽１３を引き出せるように構成したものである。したがって、トイレユニット４１の開閉扉４２に対して、これと直交する方向（矢印方向）に引き出すことができる。なお、引き出し方向は、用途や設置場所等に応じて、前記開閉扉４２が設けられた正面方向に対して左右のどちらからでも可能となるように形成することができる。この実施形態に係る前記汚物処理ユニット５１は、背面スペースを考慮する必要がないのに加えて、前記汚物処理槽１３の引き出し量が少なくて済むので、設置スペースの限られた場所に適した構造である。
【００２６】
上記示した実施形態では、本発明の汚物処理ユニット１１，５１を仮設のトイレユニット４１と組み合わせた場合の例を示したが、このような仮設トイレにおける汚物処理に限定されず、ユニットハウスの一部として組み込まれるトイレシステムやレストランや家庭で使用されるキッチンシステム等に組み込まれ、生ごみなどの処理用途にも応用可能である。
【００２７】
上記実施形態で示した仮設トイレのような小規模な施設の場合は、汚物処理槽のスライド移動距離が大きくないので、前記枠体１２に取り付けられるアウターレール１６ａ，１６ｂと、汚物処理槽１３に設けられるインナーレール２１ａ，２１ｂの二段構成のスライドガイド部で十分であるが、ユニットハウス等へ設置する場合は、汚物処理槽のスライド移動距離が大きくなる場合がある。このようなスライド移動距離が大きい場合は、前記ユニットハウス等の床面にベース部となる第１のスライドガイド部を設け、この第１のスライドガイド部に第２のスライドガイド部、さらに、前記第２のスライドガイド部に第３のスライドガイド部といったような多段構成のスライドガイド部を採用することによって、汚物処理槽の引き出し及び収納をより安定させた状態で行うことが可能となる。
【図面の簡単な説明】
【００２８】
【図１】本発明に係る汚物処理ユニットの斜視図である。
【図２】上記汚物処理ユニットの側面図である。
【図３】上記汚物処理ユニットの平面図である。
【図４】上記汚物処理ユニットを構成する汚物処理槽に配設される攪拌羽根の外形形状を示す図である。
【図５】上記汚物処理槽の内部構造を示す断面図である。
【図６】上記汚物処理槽に備える駆動制御装置の構成を示す図である。
【図７】上記汚物処理槽の内部構造を示す平面図である。
【図８】上記汚物処理ユニットを組み込んだ仮設トイレの斜視図である。
【図９】他の実施形態の汚物処理ユニットを組み込んだ仮設トイレの正面図である。
【符号の説明】
【００２９】
１０  汚物
１１，５１  汚物処理ユニット
１２  枠体（ベース部）
１３  汚物処理槽
１４  バイオチップ
１５  開口部
１６ａ，１６ｂ  アウターレール（スライドガイド部）
１７  駆動制御装置
１８ａ  第１槽
１８ｂ  第２槽
１９ａ，１９ｂ  回転軸
２０  開口部
２１ａ，２１ｂ  インナーレール（スライドガイド部）
２４ａ，２４ｂ  処理室
２５  断熱部材
２９  シーケンサ
３０  カム機構
３１ａ，３１ｂ  孔部
３２ａ，３２ｂ  攪拌羽根
３５  ヒータ
３６ａ，３６ｂ  回転羽根
３７  モータ
４０  仮設トイレ
４１  トイレユニット
４５  蓋体
４６  開口部
【図１】
2005296096.tif 000003
【図２】
2005296096.tif 000004
【図３】
2005296096.tif 000005
【図４】
2005296096.tif 000006
【図５】
2005296096.tif 000007
【図６】
2005296096.tif 000008
【図７】
2005296096.tif 000009
【図８】
2005296096.tif 000010
【図９】
2005296096.tif 000011